(57)【特許請求の範囲】
【請求項１】
上面、前記上面に形成された複数の第１パッド、前記上面に形成された第１ソルダレジスト、前記上面とは反対側の下面、前記下面に形成された複数の第２パッド、前記下面に形成されたインデックスパターン、前記下面に形成されたアドレス情報パターン、前記下面に形成された第２ソルダレジスト、および前記上面と前記下面との間の側面を有する配線基板と、
主面、前記主面に形成された複数のボンディングパッド、および前記主面とは反対側の裏面を有し、前記配線基板の前記上面に搭載された半導体チップと、
主面、および側面を有し、前記半導体チップを封止する樹脂と、
を含み、
前記配線基板の前記上面および前記樹脂の前記主面のそれぞれは、四角形であり、
前記樹脂の各側面は、前記配線基板の各側面とそれぞれ面一であり、
前記複数の第１パッドは、前記第１ソルダレジストから露出しており、
前記複数の第２パッドと前記インデックスパターンとは、前記第２ソルダレジストから露出しており、
前記アドレス情報パターンは、前記第２ソルダレジストで覆われていることを特徴とする樹脂封止型半導体装置。
【請求項２】
前記樹脂の前記側面および前記配線基板の前記側面のそれぞれは、同じ切断工程により形成された切断面であることを特徴とする請求項１記載の樹脂封止型半導体装置。
【請求項３】
前記複数の第２パッドには、複数の半田バンプがそれぞれ接続されていることを特徴とする請求項１または２記載の樹脂封止型半導体装置。
【請求項４】
前記複数の第２パッドには、複数の外部接続端子がそれぞれ形成されていることを特徴とする請求項１または２記載の樹脂封止型半導体装置。
【請求項５】
前記インデックスパターンは、前記配線基板の前記下面において、前記複数の第２パッドよりも前記配線基板の前記下面の周縁部側に配置されていることを特徴とする請求項１、２、３または４記載の樹脂封止型半導体装置。
【請求項６】
前記インデックスパターンは、前記樹脂封止型半導体装置の方向を示すパターンであり、
前記アドレス情報パターンは、前記樹脂封止型半導体装置のアドレス情報を示すパターンであることを特徴とする請求項１記載の樹脂封止型半導体装置。
【請求項７】
前記樹脂の前記主面には、マークが形成されていることを特徴とする請求項１または６記載の樹脂封止型半導体装置。
【請求項８】
前記マークは、製品名または製造ロットであることを特徴とする請求項７記載の樹脂封止型半導体装置。
【請求項９】
前記複数の第１パッド、前記複数の第２パッド、前記インデックスパターン、および前記アドレス情報パターンのそれぞれは、銅箔からなることを特徴とする請求項１記載の樹脂封止型半導体装置。
【発明の詳細な説明】
【技術分野】
【０００１】
本発明は、樹脂封止型半導体装置に関し、特に、配線基板上に搭載した複数の半導体チップを一括モールドした後、配線基板を分割することによって複数の樹脂封止型半導体装置を得る半導体装置に適用して有効な技術に関する。
【背景技術】
【０００２】
特開平１１−２１４５８８号公報（特許文献１）には、ＴＡＢテープに複数の半導体チップを搭載して樹脂封止した後、樹脂およびＴＡＢテープを切断して個々に切り出すことによって複数の樹脂封止型半導体装置を製造する方法が記載されている。
【０００３】
また、上記公報には、樹脂およびＴＡＢテープの切断位置がずれるのを防止する対策として、ＴＡＢテープのランド部外周に形成された銅配線の一部を利用し、その銅配線で光を反射させることによって切断位置を表示し、その位置を正確に認識する技術が開示されている。
【先行技術文献】
【特許文献】
【０００４】
【特許文献１】特開平１１−２１４５８８号公報
【発明の概要】
【発明が解決しようとする課題】
【０００５】
本発明者は、配線基板上にマトリクス状に搭載した複数の半導体チップを一括して樹脂封止した後、この配線基板を分割することによって複数の樹脂封止型半導体装置を製造する技術を開発中である。
【０００６】
このような製造方法を採用する場合、製造プロセスに起因する製品の不良解析や不良発生箇所の特定を迅速に行うためには、完成品となった個々の樹脂封止型半導体装置が元の配線基板のどの位置にあったかを配線基板の分割後においても容易に識別できるようにしておく必要がある。
【０００７】
その方法として、例えば半導体チップの樹脂封止に用いるモールド金型のイジェクタピンなどにアドレス情報を刻印し、配線基板上に搭載した複数の半導体チップを一括して樹脂封止する際、樹脂封止型半導体装置一個分の領域のそれぞれに異なるパターンのアドレス情報が付与されるようにしておくことが考えられる。
【０００８】
しかし、上記の方法は、製品の種類毎に異なるパターンのアドレス情報をモールド金型に刻印しなければならないといった煩雑さがあり、依頼メーカの標準仕様（既存）の金型を使用する場合には適用することができない。
【０００９】
本発明の目的は、配線基板上に搭載した複数の半導体チップを樹脂封止した後、配線基板を分割することによって複数の樹脂封止型半導体装置を製造する際、個々の樹脂封止型半導体装置が元の配線基板のどの位置にあったかを配線基板の分割後においても容易に識別できるようにする技術を提供することにある。
【００１０】
本発明の前記ならびにその他の目的と新規な特徴は、本明細書の記述および添付図面から明らかになるであろう。
【課題を解決するための手段】
【００１１】
本願において開示される発明のうち、代表的なものの概要を簡単に説明すれば、次のとおりである。
【００１２】
本願の一発明である樹脂封止型半導体装置は、上面、前記上面に形成された複数の第１パッド、前記上面に形成された第１ソルダレジスト、前記上面とは反対側の下面、前記下面に形成された複数の第２パッド、前記下面に形成されたインデックスパターン、前記下面に形成されたアドレス情報パターン、前記下面に形成された第２ソルダレジスト、および前記上面と前記下面との間の側面を有する配線基板と、
主面、前記主面に形成された複数のボンディングパッド、および前記主面とは反対側の裏面を有し、前記配線基板の前記上面に搭載された半導体チップと、
主面、および側面を有し、前記半導体チップを封止する樹脂と、を含み、
前記配線基板の前記上面および前記樹脂の前記主面のそれぞれは、四角形であり、
前記樹脂の各側面は、前記配線基板の各側面とそれぞれ面一であり、
前記複数の第１パッドのそれぞれは、前記第１ソルダレジストから露出しており、
前記複数の第２パッドのそれぞれと前記インデックスパターンとは、前記第２ソルダレジストから露出しており、
前記アドレス情報パターンは、前記第２ソルダレジストで覆われている。
【００１３】
本願の一発明である半導体装置の製造方法は、（ａ）上面、前記上面に設けられた複数の半導体チップ搭載領域、および前記上面とは反対側の下面を有する配線基板を準備する工程と、（ｂ）前記（ａ）工程の後、複数の半導体チップを前記複数の半導体チップ搭載領域に、それぞれ搭載する工程と、（ｃ）前記（ｂ）工程の後、前記複数の半導体チップのうちの複数の第１半導体チップが第１キャビティ内に位置し、かつ、前記複数の半導体チップのうちの複数の第２半導体チップが第２キャビティ内に位置するように、前記配線基板を第１金型と第２金型との間に配置し、前記第１および第２キャビティ内のそれぞれに樹脂を供給することで前記複数の半導体チップを樹脂で封止し、前記複数の第１半導体チップを封止する第１樹脂ブロックと前記複数の第２半導体チップを封止する第２樹脂ブロックを形成する工程とを含んでいる。
【発明の効果】
【００１４】
本願において開示される発明のうち、代表的なものによって得られる効果を簡単に説明すれば以下のとおりである。
【００１５】
複数の半導体チップを封止する樹脂の収縮などによる配線基板の反りを抑制することができる。
【図面の簡単な説明】
【００１６】
【図１】本発明の実施の形態１である樹脂封止型半導体装置の製造に用いるマトリクス基板（上面）の一部拡大平面図である。
【図２】本発明の実施の形態１である樹脂封止型半導体装置の製造に用いるマトリクス基板（下面）の一部拡大平面図である。
【図３】（ａ）は、樹脂封止型半導体装置一個分の領域を示すマトリクス基板（上面）の拡大平面図、（ｂ）は、同じく下面の拡大平面図である。
【図４】本発明の実施の形態１である樹脂封止型半導体装置の製造に用いるマトリクス基板（下面）の一部拡大平面図である。
【図５】本発明の実施の形態１である樹脂封止型半導体装置の製造に用いるマトリクス基板一部拡大断面図である。
【図６】本発明の実施の形態１である樹脂封止型半導体装置の製造方法を示すマトリクス基板（上面）の平面図である。
【図７】本発明の実施の形態１である樹脂封止型半導体装置の製造方法を示すマトリクス基板（下面）の平面図である。
【図８】本発明の実施形態１である樹脂封止型半導体装置の製造方法を示すマトリクス基板の平面図および概略断面図である。
【図９】本発明の実施形態１である樹脂封止型半導体装置の製造方法を示すマトリクス基板の平面図および概略断面図である。
【図１０】本発明の実施形態１である樹脂封止型半導体装置の製造方法を示すマトリクス基板の平面図および概略断面図である。
【図１１】本発明の実施の形態１である樹脂封止型半導体装置の製造方法を示すモールド金型の概略断面図である。
【図１２】本発明の実施の形態１である樹脂封止型半導体装置の製造方法を示すマトリクス基板（上面）の平面図である。
【図１３】本発明の実施形態１である樹脂封止型半導体装置の製造方法を示すマトリクス基板の平面図および概略断面図である。
【図１４】本発明の実施の形態１である樹脂封止型半導体装置の製造方法を示すマトリクス基板の概略断面図である。
【図１５】本発明の実施の形態１である樹脂封止型半導体装置の製造方法を示すマトリクス基板（下面）の平面図である。
【図１６】（ａ）は、樹脂封止型半導体装置の平面図、（ｂ）は、同じく概略断面図である。
【図１７】本発明の実施の形態１である樹脂封止型半導体装置の製造方法を示すフロー図である。
【図１８】本発明の樹脂封止型半導体装置を組み込んだ電子機器の一例を示す機能ブロック図である。
【図１９】本発明の実施の形態２である樹脂封止型半導体装置の製造に用いるマトリクス基板（下面）の一部拡大平面図である。
【図２０】本発明の実施の形態２である樹脂封止型半導体装置の製造方法を示すマトリクス基板の平面図および概略断面図である。
【図２１】（ａ）は、樹脂封止型半導体装置の平面図、（ｂ）は、同じく概略断面図である。
【図２２】本発明の実施の形態２である樹脂封止型半導体装置の製造方法を示すフロー図である。
【発明を実施するための形態】
【００１７】
以下、本発明の実施の形態を図面に基づいて詳細に説明する。なお、実施の形態を説明するための全図において、同一の部材には原則として同一の符号を付し、その繰り返しの説明は省略する。
【００１８】
（実施の形態１）
図１、図２は、本実施形態の樹脂封止型半導体装置の製造に用いるマトリクス基板の一部を拡大して示す図であり、図１はそのチップ搭載面（上面）、図２は実装面（下面）をそれぞれ示している。
【００１９】
マトリクス基板１Ａは、例えば縦×横＝５００ｍｍ×５００ｍｍ、厚さ０．２２ｍｍ〜０．６ｍｍ程度の薄い樹脂製の配線基板からなり、その上面には後述するペレット付け工程で複数の半導体チップが縦方向および横方向に沿ってマトリクス状に搭載される。このマトリクス基板１Ａは、周知の配線基板材料、例えばガラス・エポキシ樹脂、ＢＴレジン、ポリイミド樹脂などで構成されるが、特にガラス・エポキシ樹脂のような安価な配線基板材料で構成することにより、樹脂封止型半導体装置の製造原価を抑えることができる。マトリクス基板１Ａは、例えばフレキシブル基板（ＦＰＣ）のような可撓性を有する配線基板で構成することもできる。
【００２０】
図１に示すように、マトリクス基板１Ａの上面には複数のパッド２、後述するペレット付け工程で半導体チップをマトリクス基板１Ａに搭載する際の位置決めガイドとなるアライメントターゲット３、上記パッド２と電気的に接続された図示しない配線などが形成されている。
【００２１】
図２に示すように、マトリクス基板１Ａの下面には後述するボール付け工程で半田バンプが接続される複数のパッド４およびそれらと一体に形成された配線５、半田バンプをパッド４に接続する際の位置決めガイドとなるアライメントターゲット６、樹脂封止型半導体装置を実装基板に実装する際の方向を示すインデックスパターン７、樹脂封止型半導体装置のアドレス情報を示すアドレス情報パターン８などが形成されている。
【００２２】
図３（ａ）は、図１の一点鎖線で囲んだ矩形の領域、すなわち樹脂封止型半導体装置一個分の領域を示すマトリクス基板１Ａの上面の拡大図であり、その寸法は、例えば縦×横＝６. ４〜６．６ｍｍ×６. ４〜６．６ｍｍ程度である。マトリクス基板１Ａの上面のパッド２、アライメントターゲット３および図示しない配線は、マトリクス基板１Ａの上面に貼り付けた厚さ２０μｍ程度の電解銅箔（または圧延銅箔）をエッチングすることによって形成される。パッド２およびアライメントターゲット３は、図３（ａ）に示すパターンを一単位とし、この単位パターンをマトリクス基板１Ａの縦および横方向に沿って繰り返し配置した構成になっている。また、図示しない配線も同様の構成になっている。
【００２３】
図３（ｂ）は、樹脂封止型半導体装置一個分の領域を示すマトリクス基板１Ａの下面の拡大図である。マトリクス基板１Ａの下面のパッド４、配線５、アライメントターゲット６、インデックスパターン７およびアドレス情報パターン８は、マトリクス基板１Ａの下面に貼り付けた厚さ２０μｍ程度の電解銅箔（または圧延銅箔）をエッチングすることによって形成される。これらのパターンのうち、アドレス情報パターン８を除いたパターンは、図３（ｂ）に示すパターンを一単位とし、この単位パターンをマトリクス基板１Ａの縦および横方向に沿って繰り返し配置した構成になっている。なお、パッド４および配線５は、マトリクス基板１Ａに形成されたスルーホール（図示せず）を通じて前記パッド２と電気的に接続されている。
【００２４】
上記樹脂封止型半導体装置一個分の領域に形成されたパッド４の数は、例えば縦×横＝６個×８個の合計４８個である。また、これらのパッド４の縦方向および横方向のピッチは、例えばそれぞれ０．７５ｍｍである。図示のアライメントターゲット６およびインデックスパターン７は、それぞれ十字形および三角形のパターンで構成されているが、これらの形状に限定されるものではない。
【００２５】
アドレス情報パターン８は、マトリクス基板１Ａを使って得られる樹脂封止型半導体装置のマトリクス基板１Ａ内における位置を示す情報を含んでおり、樹脂封止型半導体装置一個分の領域毎に例えばＡ１１、Ａ１２…、Ａ２１、Ａ２２…といった異なるパターンによって構成されている。図にはアライメントターゲット６、インデックスパターン７およびアドレス情報パターン８を互いに異なる位置に配置した例を示したが、それらを一箇所に配置して機能を共用させることも可能である。例えば図４は、インデックスパターン７とアドレス情報パターン８とを一体に形成して機能を共用させた例を示している。この場合も、インデックスパターン７として機能する部分（三角形のパターン）は、上記領域（樹脂封止型半導体装置一個分の領域）のそれぞれで同一のパターンとし、アドレス情報パターン８として機能する部分（文字パターン）は、上記領域のそれぞれで異なるパターンとする。
【００２６】
図にはアドレス情報パターン８をＡ１１、Ａ１２…、Ａ２１、Ａ２２…といった３桁の文字パターンで構成した例を示したが、これに限定されるものではなく、上記領域（樹脂封止型半導体装置一個分の領域）のそれぞれで異なるパターンとなるものであれば任意のパターンで構成することができる。また、アドレス情報パターン８には、上記位置情報以外の情報、例えばマトリクス基板１Ａの製造ロットや後述するモールド工程で使用する金型の型番などを示す各種の情報を含ませることもできる。
【００２７】
図５は、上記マトリクス基板１Ａの一部を示す断面図である。図示のように、マトリクス基板１Ａの両面には、例えば膜厚数十μｍ程度の薄いエポキシ樹脂などからなる周知のソルダレジスト９がコーティングされており、半田による配線５、５間のショートなどが防止されるようになっている。前述した各種パターンのうち、例えばパッド２、パッド４およびインデックスパターン７の表面はソルダレジスト８が除去され、必要に応じてＡｕメッキなどが施されている。また、アドレス情報パターン８の表面は、このパターン８を認識する手段（カメラ、顕微鏡など）に応じてソルダレジスト９で覆われ、あるいはソルダレジスト９が除去される。
【００２８】
次に、上記マトリクス基板１Ａを用いた樹脂封止型半導体装置の製造方法を図６〜図１６を用いて工程順に説明する。
【００２９】
まず、上記マトリクス基板１Ａを切断して複数の小片に分割することにより、図６および図７に示すようなモールド用のマトリクス基板１Ｂを得る。このマトリクス基板１Ｂの寸法は、例えば縦×横＝３０ｍｍ〜７０ｍｍ×１５０ｍｍ〜２３０ｍｍ程度である。モールド用のマトリクス基板１Ｂは、後述するモールド工程で使用する金型の寸法によってその寸法が規定されるので、当初から金型の寸法に合わせてマトリクス基板１Ａを製造した場合には、それを切断、分割する工程は不要である。マトリクス基板１Ａの切断には、樹脂製の配線基板の切断に使用されている周知のダイシング装置（ダイサー）を使用する。なお、マトリクス基板１Ｂの四隅などには、モールド工程でマトリクス基板１Ｂを金型にローディングする際の位置決めに使用されるガイドホール１１が設けられる。
【００３０】
次に、図８に示すように、マトリクス基板１Ｂの上面に複数の半導体チップ（以下、単にチップという）１２を搭載する。チップ１２は、例えばその主面にＳＲＡＭ(Static Random Access Memory)などのメモリＬＳＩが形成され、対向する二辺に複数のボンディングパッドＢＰが形成された縦×横＝４．５ｍｍ〜５．０ｍｍ×５．５ｍｍ〜６．０ｍｍ程度の単結晶シリコンからなる。このチップ１２をマトリクス基板１Ｂに搭載する際には、前述したアライメントターゲット３の位置をカメラなどで認識して位置合わせを行う。また、チップ１２とマトリクス基板１Ｂとの接合には、周知のアクリル／エポキシ樹脂系接着剤やＡｇペーストなどを使用する。
【００３１】
次に、図９に示すように、マトリクス基板１Ｂのパッド２とチップ１２のボンディングパッドＢＰとをワイヤ１３で電気的に接続する。ワイヤ１３は、例えば金（Ａｕ）ワイヤを使用する。また、ワイヤ１３による接続には、例えば熱圧着と超音波振動とを併用した周知のワイヤボンディング装置を使用する。
【００３２】
次に、図１０に示すように、マトリクス基板１Ｂ上のすべてのチップ１２を樹脂１４で封止する。チップ１２を樹脂１４で封止するには、図１１に示すように、マトリクス基板１Ｂをモールド装置の金型１５にローディングし、例えばマトリクス基板１Ｂの四隅などに設けたガイドホール１１（図６、図７参照）に金型１５のピン（図示せず）を挿入して位置決めを行った後、上型１５ａと下型１５ｂとの隙間（キャビティ）に樹脂を供給することによって、マトリクス基板１Ｂに搭載されたすべてのチップ１２を一括して樹脂封止する。封止用の樹脂１４は、例えばシリカが含有された周知のエポキシ系樹脂を使用する。また、モールド装置は、例えばＱＦＰ(Quad Flat Package)やウエハレベルＣＳＰ(Chip Size Package)などの製造に使用されている周知のモールド装置を使用する。
【００３３】
マトリクス基板１Ｂの寸法は、通常の樹脂封止型半導体装置（例えばＱＦＰ）に比べて大きいため、マトリクス基板１Ｂに搭載されたすべてのチップ１２を一括して樹脂封止した場合、モールド工程後の樹脂１４の収縮などによってマトリクス基板１Ｂに反りが発生し、後述するボール付け工程でパッド４と半田バンプとの接続が取れなくなることがある。このような虞れがある場合には、図１２に示すように、複数のキャビティを備えた金型を使用して樹脂１４を複数のブロックに分割したり、マトリクス基板１Ｂにスリット１６を形成したりすることによってマトリクス基板１Ｂの反りを抑制することが望ましい。
【００３４】
次に、図１３に示すように、マトリクス基板１Ｂの下面に形成されたパッド４に半田バンプ１７を接続する。半田バンプ１７は、例えば周知のＳｎ／Ｐｂ共晶合金半田などからなる。パッド４と半田バンプ１７との接続は、例えばＢＧＡ(Ball Grid Array)などの製造に用いられている周知のボール付け治具に複数の半田ボールを搭載し、マトリクス基板１Ｂに形成されたすべてのパッド４にこれらの半田ボールを一括して接続した後、加熱炉内で半田ボールをリフローさせることによって行う。半田ボールをパッド４に接続する際には、前述したアライメントターゲット６の位置をカメラなどで認識して位置合わせを行う。
【００３５】
次に、図１４に示すように、マトリクス基板１Ｂおよび樹脂１４をチップ単位で切断して複数の小片に分割することにより、ＢＧＡ型の樹脂封止型半導体装置２０が得られる。マトリクス基板１Ａおよび樹脂１４を切断するには、例えば樹脂製の配線基板の切断に使用されている周知のダイシング装置（ダイサー）に幅２００μｍ程度のダイシングブレードを取り付けたものを使用する。このとき、図１５に示すように、マトリクス基板１Ｂの下面にダイシング用のアライメントターゲット１８を形成しておくことにより、寸法精度の高い切断を行うことができる。このアライメントターゲット１８は、例えば配線材料（銅）で構成し、他のアライメントターゲット３、６と同時に形成すればよい。
【００３６】
マトリクス基板１Ｂを切断して得られた複数の樹脂封止型半導体装置２０は、テスタを使った選別試験に付された後、図１６に示すように、樹脂１４の表面に製品名や製造ロットなどの（表面インデックスマークを含む）マーク１９が印字される。マーク１９の印字は、周知のレーザ加工による刻印やインクによる捺印によって行われる。
【００３７】
その後、上記樹脂封止型半導体装置２０は、テスタを使った選別試験および外観検査などに付され、良品のみが梱包されて依頼メーカなどに出荷された後、各種電子機器の基板に実装される。樹脂封止型半導体装置２０を基板に実装する際には、実装面に形成された前記インデックスパターン７をカメラなどで認識することによって位置合わせを行う。
【００３８】
図１７は、上述した製造工程のフローである。また図１８は、上記樹脂封止型半導体装置２０が組み込まれた電子機器（例えば携帯電話）の機能ブロック図である。
【００３９】
上述した本実施形態の製造方法によれば、マトリクス基板１Ａ上に形成されたアドレス情報パターン８をカメラ、顕微鏡あるいは目視によって認識することにより、完成品となった個々の樹脂封止型半導体装置２０が元のマトリクス基板１Ａのどの位置にあったかをマトリクス基板１Ｂの分割後においても容易に識別できるため、製造プロセスに起因する製品の不良解析や不良発生箇所の特定を迅速に行うことができる。
【００４０】
（実施の形態２）
前記実施の形態１では、配線材料を使ってマトリクス基板１Ａの実装面にアドレス情報パターン８を形成したが、これに限定されるものではなく、例えば次のような方法でアドレス情報パターン８を形成することもできる。
【００４１】
まず、図１９に示すようなマトリクス基板１Ａを用意する。このマトリクス基板１Ａは、アドレス情報パターン８が形成されていない点を除けば、前記実施の形態１のマトリクス基板１Ａと同一の構成になっている。
【００４２】
次に、前記実施の形態１の図６〜図１１に示した工程に従って、モールド用マトリクス基板１Ｂの形成、チップ１２の搭載、ワイヤ１３のボンディング、樹脂１４によるチップ１２の一括封止を行った後、図２０に示すように、樹脂１４の表面に製品名や製造ロットなどのマーク１９を印字する。本実施形態では、このとき同時に、樹脂１４の表面にアドレス情報パターン８を印字する。マーク１９およびアドレス情報パターン８の印字は、周知のレーザ加工による刻印やインクによる捺印によって行う。マーク１９は、樹脂封止型半導体装置一個分の領域のそれぞれで同一のパターンとし、アドレス情報パターン８は、上記領域のそれぞれで異なるパターンとする。
【００４３】
次に、前記実施の形態１の図１３〜図１４に示した工程に従って、半田バンプ１７の接続およびマトリクス基板１Ｂの切断を行うことにより、図２１に示すような樹脂封止型半導体装置２０が得られる。なお、樹脂１４の表面へのマーク１９およびアドレス情報パターン８の印字は、半田バンプ１７の接続を行った後に行ってもよい。その後、上記樹脂封止型半導体装置２０は、テスタを使った選別試験および外観検査などに付され、良品のみが梱包されて出荷された後、各種電子機器の基板に実装される。図２２は、上述した製造工程のフローである。
【００４４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００４５】
本発明はＢＧＡ型の樹脂封止型半導体装置に限定されるものではなく、例えばＴＳＯＪ、ＬＧＡ、ミニカードなど、半田バンプ以外の外部接続端子を有する各種樹脂封止型半導体装置に適用することができる。また、チップはＳＲＡＭに限定されるものではなく、例えばＤＲＡＭやフラッシュメモリなどの各種メモリＬＳＩを形成したチップを使用することができる。
【産業上の利用可能性】
【００４６】
本発明は、樹脂封止型半導体装置の製造に適用することができる。
【符号の説明】
【００４７】
１Ａ、１Ｂ  マトリクス基板（配線基板）
２  パッド
３  アライメントターゲット
４  パッド
５  配線
６  アライメントターゲット
７  インデックスパターン
８  アドレス情報パターン
９  ソルダレジスト
１１  ガイドホール
１２  半導体チップ
１３  ワイヤ
１４  樹脂
１５  金型
１５ａ  上型
１５ｂ  下型
１６  スリット
１７  半田バンプ
１８  アライメントターゲット
１９  マーク
２０  樹脂封止型半導体装置
ＢＰ  ボンディングパッド
【図１】
0005444382.tif 000002
【図２】
0005444382.tif 000003
【図３】
0005444382.tif 000004
【図４】
0005444382.tif 000005
【図５】
0005444382.tif 000006
【図６】
0005444382.tif 000007
【図７】
0005444382.tif 000008
【図８】
0005444382.tif 000009
【図９】
0005444382.tif 000010
【図１０】
0005444382.tif 000011
【図１１】
0005444382.tif 000012
【図１２】
0005444382.tif 000013
【図１３】
0005444382.tif 000014
【図１４】
0005444382.tif 000015
【図１５】
0005444382.tif 000016
【図１６】
0005444382.tif 000017
【図１７】
0005444382.tif 000018
【図１８】
0005444382.tif 000019
【図１９】
0005444382.tif 000020
【図２０】
0005444382.tif 000021
【図２１】
0005444382.tif 000022
【図２２】
0005444382.tif 000023